(57)【要約】【課題】消費電力の増加を抑えつつ、表示画像の切り換え時に良好な表示画像を得る。【解決手段】電気泳動表示部を駆動制御する電気泳動表示部用の駆動制御装置である。  表示切換前処理部１１０Ｃは、前記電気泳動表示部に表示する新たな表示画像の書込み要求を検出すると、前記新たな表示画像に対応した電圧に各画素の画素電極及び共通電極の電圧を制御する前に、黒表示となる画素の画素電極と共通電極とを同電位に制御する。【選択図】図３
2011164123.tif 000002
【特許請求の範囲】
【請求項１】
対向する画素電極と共通電極との間に電気泳動粒子を収納した電気泳動素子を配置して構成される複数の画素を有し、前記画素電極及び前記共通電極に印加される電圧に応じて前記複数の画素の各々で表示する階調が決定されることで画像を表示する電気泳動表示部を駆動制御する電気泳動表示部用の駆動制御装置であって、
前記電気泳動表示部に表示する表示画像の書込み要求を検出すると、前記書込み要求の表示画像に対応した電圧に前記複数の画素の各々の画素電極及び前記共通電極の電圧を制御する前に、少なくとも前記複数の画素のうち一部の画素の画素電極と共通電極とを同電位に制御する表示切換前処理部を備えることを特徴とする電気泳動表示部用の駆動制御装置。
【請求項２】
前記複数の画素の各々の表示として少なくとも第１の階調を有し、
前記表示切換前処理部は、前記書込要求の表示画像で第１の階調となる画素の画素電極と共通電極とを同電位に制御することを特徴とする請求項１に記載した電気泳動表示部用の駆動制御装置。
【請求項３】
前記複数の画素の各々は、少なくとも第１の階調を有すると共に、前記第１の階調を表示するための第１の電気泳動粒子は、正又は負に帯電した帯電粒子であり、
前記表示切換前処理部は、前記複数の画素の各々のうち、前記書込要求の表示画像で第１の階調となる第１画素の第１画素電極と前記共通電極とを同電位に制御すると共に、前記書込要求の表示画像で前記第１の階調とは異なる第２の階調となる第２画素の第２画素電極と前記共通電極とを、前記書込要求の表示画像で表示する階調に対応した電圧に制御することを特徴する請求項１又は請求項２に記載した電気泳動表示部用の駆動制御装置。
【請求項４】
前記複数の画素の各々の画素電極及び共通電極の電圧をそれぞれ、予め設定した２種類の電圧値のいずれかに制御することで、表示すべき画像に応じた階調に前記複数の画素の各々の表示を制御し、
前記表示切換前処理部は、前記複数の画素電極の電圧と前記共通電極の電圧をともに、前記２種類の電圧値のいずれかの電圧とすることで同電位に制御することを特徴とする請求項１〜請求項３のいずれか１項に記載した電気泳動表示部用の駆動制御装置。
【請求項５】
前記各画素の画素電極の電圧を、予め設定した２種類の電圧値のいずれかに設定すると共に、前記共通電極の電圧を前記２種類の電圧値の間の電圧値である中間電位に設定することで、表示すべき画像に応じた階調に複数の画素の各々の表示を制御し、
前記表示切換前処理部は、画素電極と共通電極の電圧をともに前記中間電位とすることで同電位に制御することを特徴とする請求項１〜請求項３のいずれか１項に記載した電気泳動表示部用の駆動制御装置。
【請求項６】
請求項１〜請求項５のいずれかに記載した前記電気泳動表示部、及び前記電気泳動表示部用の駆動制御装置を備えることを特徴とする電気泳動表示装置。
【請求項７】
請求項６に記載した電気泳動表示装置を備えることを特徴とする電子機器。
【請求項８】
少なくとも第１の階調に対応し且つ帯電粒子からなる第１の電気泳動粒子を収納した収容容器を備える電気泳動素子を、対向する画素電極と共通電極との間に配置して構成される複数の画素を有し、前記画素電極及び前記共通電極に印加される電圧に応じて前記複数の画素の各々の階調を決定して画像を表示する電気泳動表示部を駆動制御する際に、
前記電気泳動表示部に表示する表示画像の書込み要求を検出すると、前記書込要求の表示画像に対応した電圧に前記複数の画素の前記共通電極及び前記複数の画素電極の電圧を制御する前に、前記複数の画素の各々のうち、前記書込要求の表示画像で第１の階調となる画素電極及び前記共通電極の電位差を、予め設定したリセット期間、前記帯電粒子からなる第１の電気泳動粒子を前記電気泳動素子の収容容器の壁面から浮かすことが可能な電位差に設定することを特徴とする電気泳動表示部用の駆動制御方法。
【発明の詳細な説明】
【技術分野】
【０００１】
本発明は、電気泳動粒子を収納した電気泳動素子を使用した画像表示の駆動制御の技術及びその技術を使用した電気泳動表示装置、電子機器に関する。
【背景技術】
【０００２】
近年、電気泳動表示装置の開発が盛んに行われている。この電気泳動表示装置の電気泳動表示部には、複数の画素がマトリックス状に配列している。その各画素は、電気泳動素子を挟んで対向する画素電極及び共通電極を備える。そして、前記各画素の画素電極及び共通電極の電圧を制御して、電気泳動素子中の電気泳動粒子を移動させることで画像表示を制御する。前記画像を表示するための電気泳動素子は、電圧印加を停止した後でも階調が維持される。つまり前記電気泳動表示装置の電気泳動表示部は、電圧印加を停止した後も現在の画像表示が維持される。このため、一般には、良好な画像表示を得る目的で、表示画像を切り替える前に、現在の表示画像を消去するリセット処理が行われる。前記リセット処理は、例えば、電気泳動表示部を構成する全画素の階調が白となるように全画素の電圧を制御することで実施する。
【０００３】
しかし、上述のように、画像表示を消去する際に画面全体が白くなるように各画素の階調を制御すると、次の表示画像の書込み時に黒色の表示部分が灰色となって、良好な表示（コントラスト）を得ることが出来ない場合がある。その理由は次の通りである。すなわち、リセット処理のために画素の階調を白に制御すると、帯電粒子からなる黒の電気泳動粒子は、表示面側とは反対側の底面側に移動して、電気泳動素子におけるマイクロカプセルの前記底面側の壁面に接触して吸着した状態となる。このことが、次の新たな表示画像の書込処理の際に黒色の階調となる画素において、黒の電気泳動粒子の表示面側への移動を鈍化させる原因となる。すなわち、次の画像表示の処理の際に、白の電気泳動粒子と黒の電気泳動粒子が衝突しあって黒の電気泳動粒子の遷移に時間が掛かる。または、一部の黒の電気泳動粒子が完全には表示面側へ移動せず、階調のコントラストに悪影響がでる。
【０００４】
この対策として、例えば特許文献１に記載の従来技術がある。この従来技術では、新たな表示画像の書込み処理の前に、画素電極及び共通電極の少なくとも一方に所定周波数のパルス電圧を印加する。そして、前記パルス電圧の印加によって、帯電粒子である黒の電気泳動粒子からイオンを引き離して、当該黒の電気泳動粒子の泳動速度を高める。
【先行技術文献】
【特許文献】
【０００５】
【特許文献１】特開２００８−１３９７３９公報
【発明の概要】
【発明が解決しようとする課題】
【０００６】
しかし、リセット処理としてパルス電圧の印加を行うことは消費電力が大きくなる。このため、電源がバッテリの場合には、当該バッテリの使用可能時間の短縮に繋がる。また、パルス電圧の印加によって、新たな表示画像の表示前に画面表示が点滅することになる。このことは、使用者が見ている画像表示の見栄えを悪くする原因となる。
本発明は、前記のような点に着目したもので、消費電力の増加を抑えつつ、表示画像の切り換え時に良好な表示画像を得ることを課題としている。
【課題を解決するための手段】
【０００７】
本発明に係る一の態様は、
対向する画素電極と共通電極との間に電気泳動粒子を収納した電気泳動素子を配置して構成される複数の画素を有し、前記画素電極及び前記共通電極に印加される電圧に応じて前記複数の画素の各々で表示する階調が決定されることで画像を表示する電気泳動表示部を駆動制御する電気泳動表示部用の駆動制御装置であって、
前記電気泳動表示部に表示する表示画像の書込み要求を検出すると、その書込み要求の表示画像に対応した電圧に前記複数の画素の各々の画素電極及び前記共通電極の電圧を制御する前に、少なくとも前記複数の画素のうち一部の画素の画素電極と共通電極とを同電位に制御する表示切換前処理部を備えることを特徴とするものである。
【０００８】
前記同電位は、予め設定したリセット期間だけ実施すればよい。リセット期間は、例えば画像書込に要する時間若しくは、実験等によって、電気泳動粒子を収納する収納容器（マイクロカプセル等）の壁面に接触している電気泳動粒子が、前記接触している壁面から離間して、ある程度分散するのに要する時間に設定すれば良い。
【０００９】
書込要求のあった表示画像を表示する前に、少なくとも一部の画素において画素電極及び共通電極を同電位とする。これによって、例えば現在の表示画像で第１の極性を帯びた第１の電気泳動粒子が一方の電極側に集まった状態となっていても、同電位とした画素においては、前記一方の電極側に集まっていた電気泳動粒子が、前記収納容器の壁面のうちの前記一方の電極側の壁面から離間して浮いた状態となる。すなわち、電気泳動素子の収容容器内において、一方の電極側に集まっていた電気泳動素子が、ある程度分散した状態となる。このため、書込要求の表示画像に対応した電圧に前記画素の画素電極及び共通電極の電圧を設定した際における、電気泳動粒子の表示面側への移動を速くすることが出来る。これによって、書込要求のあった表示画像の書込み処理を実施した際に良好な表示を得ることができて、コントラスト向上に繋がる。
【００１０】
このとき、表示切換前処理部として同電位に設定するだけであるので、消費電力の増加が抑えられる。さらに、同電位にして電気泳動粒子をある程度分散した状態にするだけであるので、現在の表示画像から書込要求の表示画像へ遷移する際に、画面の点滅を発生しがたい。このことは、表示画像の切り換え時により良好な表示画像を得ることが出来て、例えば使用者の眼への負担を抑えることに繋がる。
【００１１】
本発明に係る他の態様は、
前記複数の画素の各々の表示として少なくとも第１の階調を有し、
前記表示切換前処理部は、前記書込要求の表示画像で第１の階調となる画素の画素電極と共通電極とを同電位に制御することを特徴とする。
【００１２】
書込要求の表示画像において第１の階調となる画素の画素電極と共通電極を同電位にする。これにより、現在の表示画像で、第１の階調に対応する電気泳動粒子が収容容器の表示面側とは反対側である底面側に集まっていても、その第１の階調に対応する電気泳動粒子が前記底面から離間して分散した状態となる。このため、書込要求の表示画像を表示するために前記画素の画素電極及び共通電極の電圧を印加した際における、前記第１の階調に対応する電気泳動粒子の表示面側への移動が速くなる。この結果、目的とする第１の階調をより確実に表示することが可能となる。
【００１３】
また、本発明に係る他の態様は、
前記複数の画素の各々は、少なくとも第１の階調を有すると共に、前記第１の階調を表示するための第１の電気泳動粒子は、正又は負に帯電した帯電粒子であり、
前記表示切換前処理部は、前記複数の画素の各々のうち、前記書込要求の表示画像で第１の階調となる第１画素の第１画素電極と前記共通電極とを同電位に制御すると共に、前記書込要求の表示画像で前記第１の階調とは異なる第２の階調となる第２画素の第２画素電極と前記共通電極とを、前記書込要求の表示画像で表示する階調に対応した電圧に制御することを特徴する。
【００１４】
書込要求の表示画像の書込み処理を実行する前に、書込要求の表示画像で第１の階調となる第１画素の電気泳動粒子を分散した状態にすると共に、第１の階調とは異なる第２の階調となる第２画素の電気泳動粒子を、予め書込要求の表示画像で表示する階調となるように調整する。この結果、書込要求の表示画像に書込み処理をした際に、書込要求の表示画像で第１の階調となる第１画素をより確実に第１の階調とすると共に、第２画素においても、より確実にその目的とする階調とすることが出来る。これによって、書込要求の表示画像のコントラストが向上する。
【００１５】
また、本発明に係る他の態様は、
前記複数の画素の各々の画素電極及び共通電極の電圧をそれぞれ、予め設定した２種類の電圧値のいずれかに制御することで、表示すべき画像に応じた階調に前記複数の画素の各々の表示を制御し、
前記表示切換前処理部は、前記複数の画素電極の電圧と前記共通電極の電圧をともに、前記２種類の電圧値のいずれかの電圧とすることで同電位に制御することを特徴とする。
予め設定した２種類の電圧値のいずれかの電圧とすることで同電位する。これにより駆動制御が２値制御となるので、表示切換前処理部を含めた駆動制御が簡易となる。
【００１６】
また、本発明に係る他の態様は、
前記各画素の画素電極の電圧を、予め設定した２種類の電圧値のいずれかに設定すると共に、前記共通電極の電圧を前記２種類の電圧値の間の電圧値である中間電位に設定することで、表示すべき画像に応じた階調に複数の画素の各々の表示を制御し、
前記表示切換前処理部は、画素電極と共通電極の電圧をともに前記中間電位とすることで同電位に制御することを特徴とする。
これによって、書込要求の表示画像の書込み処理の際に、表示切換前処理部で同電位とした画素の階調表示が向上する。
【００１７】
また、本発明に係る他の態様は、
上述のいずれかの電気泳動表示部、及び前記電気泳動表示部用の駆動制御装置を備えることを特徴とする電気泳動表示装置を提供する。
本発明によれば、表示が良好な階調表示となる電気泳動表示装置を提供することが可能となる。
【００１８】
また、本発明に係る他の態様は、
上述の電気泳動表示装置を備えることを特徴とする電子機器を提供する。
本発明によれば、表示が良好な階調表示となる電子機器を提供することが可能となる。
【００１９】
ここで、本発明の電気泳動表示装置は、電気泳動表示部を備えた電子機器に対し搭載等によって適用可能である。例えば、表示装置、テレビジョン装置、電子ブック、電子ペーパー、時計、電卓、携帯電話、携帯情報端末等を含む電子機器に適用可能である。また、「機器」という概念からはずれるもの、例えば可撓性のある紙状やフィルム状の物体、これら物体を貼り付けた壁面等の不動産に属するもの、車両、飛行体、船舶等の移動体に属するものに対しても、本発明の電気泳動表示装置は適用可能である。
【００２０】
また、本発明に係る他の態様は、
少なくとも第１の階調に対応し且つ帯電粒子からなる第１の電気泳動粒子を収納した収容容器を備える電気泳動素子を、対向する画素電極と共通電極との間に配置して構成される複数の画素を有し、前記画素電極及び前記共通電極に印加される電圧に応じて前記複数の画素の各々の階調を決定して画像を表示する電気泳動表示部を駆動制御する際に、
前記電気泳動表示部に表示する表示画像の書込み要求を検出すると、前記書込要求の表示画像に対応した電圧に前記複数の画素の前記共通電極及び前記複数の画素電極の電圧を制御する前に、前記複数の画素の各々のうち、前記書込要求の表示画像で第１の階調となる画素電極及び前記共通電極の電位差を、予め設定したリセット期間、前記帯電粒子からなる第１の電気泳動粒子を前記電気泳動素子の収容容器の壁面から浮かすことが可能な電位差に設定することを特徴とする。
【００２１】
なお、リセット期間は、前記「浮かすことが可能な電位差」によって異ならせてもよい。
前記設定する電位差は、例えば電位差ゼロ（同電位）若しくは電位差ゼロに近い状態（例えば電位差が２Ｖ以下）に設定する。または、前記設定する電位差は、第１の階調及び第２の階調を表示するときの電位差よりも小さい値であり、且つ、前記帯電粒子からなる第１の電気泳動粒子を、電気泳動素子内における一方の電極側の収容容器の壁面に接触していた状態から離間する（浮かす）ことが可能なだけの小さな電位差に設定すればよい。なお、浮かすことで、「前記帯電粒子からなる第１の電気泳動粒子を前記画素電極及び共通電極から引き離す」状態になる。
【００２２】
現在の表示画像で第１の電気泳動粒子が一方の電極側に集まった状態となっていても、第１の電気泳動粒子を前記電気泳動素子の収容容器の壁面から浮かすことが可能な電位差に設定することで、第１の電気泳動粒子は、前記一方の電極側の収容容器の壁面から離間した状態（浮いた状態）となる。ただし、第１の電気泳動粒子が他方の電極に引き寄せられるまでの電位差を発生させないので、第１の電気泳動粒子は両方の電極から離れた状態となる。すなわち、電気泳動素子内において、第１の電気泳動素子がある程度分散した状態となる。このため、書込要求の表示画像とする際における、第１の電気泳動粒子の応答を速くすることが出来る。これによって、書込要求の表示画像において良好な第１の階調表示を得ることができる。
【図面の簡単な説明】
【００２３】
【図１】本発明に基づく第１実施形態に係る電気泳動表示装置の電気的な全体構成を示す図である。
【図２】本発明に基づく第１実施形態に係る画素の構造を示す図である。
【図３】本発明に基づく第１実施形態に係るディスプレイコントローラの構成を示す図である。
【図４】本発明に基づく第１実施形態に係るディスプレイコントローラの処理を説明する図である。
【図５】本発明に基づく第１実施形態に係る各電圧のタイミングチャート例である。
【図６】本発明に基づく第１実施形態に係る表示の切り換わり例である。
【図７】本発明に基づく第１実施形態に係る動作を説明する図である。
【図８】本発明に基づく第１実施形態に係る電圧の変化を示す図である。
【図９】比較例の課題を説明する図である。
【図１０】電子機器の例を示す図である。
【図１１】本発明に基づく第２実施形態に係る各電圧のタイミングチャート例である。
【図１２】従来の動作を説明する図である。
【図１３】本発明に基づく第２実施形態に係る動作を説明する図である。
【発明を実施するための形態】
【００２４】
次に、本発明に係る実施形態について図面を参照しつつ説明する。
ここで、以下の説明では、表示する第１の階調を黒色とし、第２の階調を白色とする。そして、電気泳動表示部に白色と黒色を使用して画像を表示する場合を例に挙げて説明する。ただし、表示させる第１の階調及び第２の階調は、白色及び黒色の組である必要はなく、別の色であっても構わない。すなわち、本発明は、カラー画像表示であっても適用可能であり、例えば、第１の階調を赤色とし、第２の階調を黒色としても良い。
【００２５】
「第１実施形態」
（構成）
図１は、本実施形態における電気泳動表示装置ＥＰＤの電気的な構成を示す概念図である。
本実施形態の電気泳動表示装置ＥＰＤは、電気泳動表示部１、及びディスプレイコントローラ１００を備える。ディスプレイコントローラ１００は、電気泳動表示部１の表示を制御する。ディスプレイコントローラ１００は、電気泳動表示部用の駆動制御装置を構成する。
前記電気泳動表示部１は、電気泳動表示パネル１０、走査線駆動回路２０、データ線駆動回路３０、及び対向電極変調回路４０を備える。
【００２６】
前記電気泳動表示パネル１０は、複数の画素１１、走査線１２、データ線１３及び保持容量線１５を備える
すなわち、電気泳動表示パネル１０には、複数の走査線１２が、図１中縦方向（Ｙ方向）に沿って配列する。その走査線１２と交差する方向（Ｘ方向）に並んで、複数のデータ線１３が配列する。図１では、走査線１２とデータ線１３が直交する場合を例示している。さらに、各画素１１が、走査線１２とデータ線１３との交差に対応してマトリクス状に配列する。また、走査線１２と同方向に複数本の保持容量線１５を配置する。
【００２７】
また、前記走査線駆動回路２０は、ディスプレイコントローラ１００からの制御信号に応じた電圧信号を走査線１２に供給する。データ線駆動回路３０は、ディスプレイコントローラ１００からの制御信号に応じた電圧信号をデータ線１３に供給する。対向電極変調回路４０は、ディスプレイコントローラ１００からの制御信号に応じた電圧信号を共通電極配線１４に供給する。
【００２８】
前記各画素１１の構成例について説明する。
各画素１１は、少なくとも二種の電気泳動粒子を収納した電気泳動素子を、対向配置した画素電極と共通電極との間に配置されて構成される。そして、各画素１１は、前記画素電極及び共通電極に印加される電圧に応じて前記電気泳動粒子が移動して、目的とする階調表示となる。
【００２９】
前記画素１１は、例えば図２に示すような構成となっている。
図２に示す画素１１は、電気泳動素子５０、スイッチング素子としてのＴＦＴ８０、画素電極６０、共通電極７０、及び保持容量９０を備える。上述のように対応配置する画素電極６０及び共通電極７０との間に電気泳動素子５０が配置されている。なお、共通電極７０は、複数の画素１１に対し共通する電位を印加する電極であるが、物理的には各画素１１毎に分割されていても良い。ＴＦＴ８０は、例えばＰ型の有機トランジスタである。この場合には、ＴＦＴ８０は、そのゲート端子が走査線１２に接続され、そのソース端子がデータ線１３に接続されている。さらに、ＴＦＴ８０のドレイン端子が画素電極６０及び保持容量９０に接続されている。保持容量９０は、ＴＦＴ８０によって画素電極６０に印加された電圧を保持する。
【００３０】
ここで、画素１１は、画素電極６０と共通電極７０との間に電気泳動素子５０が配置されて構成される。このため、画素１１は、電極面積、電極間の距離、および電気泳動素子５０の誘電率に応じた画素容量を形成する。共通電極７０は共通電極配線１４を介して対向電極変調回路４０に接続される。また、保持容量９０の他方は保持容量線１５に接続される。保持容量線１５は対向電極変調回路４０で電源に接続される。
【００３１】
前記電気泳動素子５０は、図２に示すように、マイクロカプセルや図示しない隔壁型などの少なくとも表示面側が可視光に対して透明な収容容器５１と、収容容器５１内に封入された可視光に対して透明な液体からなる分散媒体５４と、分散媒体５４中に分散又は収容容器５１の内壁に接触した２種類の電気泳動粒子５２，５３と、から構成される。
【００３２】
ここで、収容容器５１をマイクロカプセルで構成する場合について説明する。マイクロカプセルは、例えば５０μｍ程度の粒径を有すると共に、ポリメタクリル酸メチル、ポリメタクリル酸エチル等のアクリル樹脂、ユリア樹脂、アラビアゴム等の可視光を透過可能な高分子樹脂によって形成されている。そして、一つの画素１１内に、１又は複数のマイクロカプセルが縦横に配列されている。また、マイクロカプセルの周囲を埋めるように、当該マイクロカプセルを固定するためのバインダ（図示しない）が設けられている。
【００３３】
前記分散媒体５４は、例えば水、メタノール、エタノール、イソプロパノール、ブタノール、オクタノール、メチルセルソルブ等のアルコール系溶媒、酢酸エチル、酢酸ブチル等の各種エステル類、アセトン、メチルエチルケトン、メチルイソブチルケトン等のケトン類、ぺンタン、ヘキサン、オクタン等の脂肪族炭化水素、シクロへキサン、メチルシクロへキサン等の脂環式炭化水素、ベンゼン、トルエン、キシレン、ヘキシルベンゼン、ヘブチルベンゼン、オクチルベンゼン、ノニルベンゼン、デシルベンゼン、ウンデシルベンゼン、ドデシルベンゼン、トリデシルベンゼン、テトラデシルベンゼン等の長鎖アルキル基を有するベンゼン類等の芳香族炭化水素、塩化メチレン、クロロホルム、四塩化炭素、３０−ジクロロエタン等のハロゲン化炭化水素、カルボン酸塩又はその他の種々の油類等の単独又はこれらの混合物に界面活性剤等を配合したものよって形成されている。
【００３４】
また、収容容器５１内に収容される２種類の電気泳動粒子５２，５３は、本実施形態では、黒粒子５２と白粒子５３とから構成されている。黒粒子５２及び白粒子５３は、分散媒体５４中において、電界により移動する性質を有する粒子（高分子あるいはコロイド）である。
【００３５】
黒粒子５２は、例えば、アニリンブラック、カーボンブラック等の黒色顔料からなる粒子（高分子あるいはコロイド）であり、例えば正に帯電させておく。白粒子５３は、例えば、二酸化チタン、亜鉛華、三酸化アンチモン等の白色顔料からなる粒子（高分子あるいはコロイド）であり、例えば負に帯電させておく。
【００３６】
なお、前記黒粒子５２は、白粒子５３と比べて、収容容器５１における表示面側とは反対側である底面側の壁面から前記表示面側に移動、又は前記表示面側から前記底面側に移動する際に、少なくとも表示面側と底面側との間に位置する収容容器５１の壁面である横面に沿って移動しやすい性質を有する。
また、前記ディスプレイコントローラ１００は、図３に示すように、画像信号処理部１１０およびタイミングジェネレータ１２０を備える。
【００３７】
画像信号処理部１１０は、画像データの制御信号および対向電極の制御信号を生成し、それぞれデータ線駆動回路３０及び対向電極変調回路４０に供給する。対向電極変調回路４０は画素１１の保持容量９０及び共通電極７０にそれぞれバイアス信号及び共通電極用の電圧を供給する。
また、タイミングジェネレータ１２０は、表示切換前処理の設定や画像データが画像信号処理部１１０から出力されるときに、走査線駆動回路２０やデータ線駆動回路３０を制御するための各種タイミング信号を生成する。
【００３８】
ここで、本実施形態では、データ線１３及び共通電極配線１４に供給する電圧、つまり画素電極６０及び共通電極７０に印加する電圧として、予め設定した２種類の電圧値を使用する。すなわち、その２種類の電圧値のいずれかをデータ線１３及び共通電極配線１４に供給することで、各画素１１の階調表示を制御する。前記２種類の電圧値は、第１の電位Ｈｉと第２の電位Ｌｏとし、相対的に、第１の電位Ｈｉの方が高電位、第２の電位Ｌｏの方が低電位とする。
【００３９】
前記画像信号処理部１１０は、画像データ読込部１１０Ａ、画像変換部１１０Ｂ、表示切換前処理部１１０Ｃ、及び画像書込部１１０Ｄを備える。そして、新たな画像を書き込む際に、画像データ読込部１１０Ａ、画像変換部１１０Ｂ、表示切換前処理部１１０Ｃ、及び画像書込部１１０Ｄの順番に処理が実行される。
ここで、図１に示すように、ＣＰＵは、画像選択手段から、画像選択や次項送りなどの画像書込み要求の信号を入力すると、ストレージ（ＨＤＤやフラッシュメモリなどの補助記憶装置）から対応する画像データを取得して、キャッシュメモリに保存する。また、画像書込要求の信号を画像データ読込部１１０Ａに出力する。
【００４０】
画像データ読込部１１０Ａは、画像書込要求の信号を検出すると、画像データをキャッシュメモリから取得する。
画像変換部１１０Ｂは、画像データ読込部１１０Ａが取得した画像データを、画像データの形式に応じて適宜、表示用のサイズに変換した後に、白黒（階調）画像データに変換する。さらに、白黒の階調画像データを白黒の２階調画像データに変換する。これによって、書込要求あった表示画像である新たな表示画像を表示する際における、各画素１１の階調（第１の階調若しくは第２の階調）が決定する。
【００４１】
表示切換前処理部１１０Ｃは、予め設定したリセット期間だけ、共通電極７０に第１の電位Ｈｉを印加するように制御する。また同期をとって、各画素１１の画素電極６０に対し、前記画像変換部１１０Ｂが変換した白黒の２階調画像データに基づき、黒色を表示する画素１１（第１画素）の画素電極６０（第１画素電極）に、第１の電位Ｈｉを印加するように制御すると共に、白色を表示する画素１１（第２画素）の画素電極６０（第２画素電極）に、第２の電位Ｌｏを印加するように制御する。なお、パルス状に同電位に制御することは無い（図５参照）。
【００４２】
この表示切換前処理部１１０Ｃでの駆動制御によるリセット動作は次のようになる。すなわち、対向電極変調回路４０は、高電位である第１の電位Ｈｉ信号を共通電極７０に供給する。また、走査線駆動回路２０は、走査線１２に順次選択信号を供給する。そして、選択信号が供給されて選択状態となった走査線１２に接続されたＴＦＴ８０が、オン状態になる。このとき、走査線選択に同期してデータ線駆動回路３０から供給されるデータ信号Ｘｉ（リセット信号）が各画素電極６０に書き込まれる。このとき、データ信号Ｘｉの電圧レベルで保持容量９０も充電され、ＴＦＴ８０の遮断後も画素１１（画素電極６０と共通電極７０）の電荷保持を図り、電気泳動粒子５２，５３によるリセット画像の維持を図る。
【００４３】
この結果、新たな表示画像で第１の階調である黒色を表示する画素１１においては、画素電極６０と共通電極７０とが同電位となる。これによって、現在の表示画像で黒粒子５２が画素電極６０側に引き寄せられて、電気泳動素子５０における収容容器５１の当該画素電極６０側の壁面に沿って吸着した状態となっていたとしても、前記同電位の設定によって、黒粒子５２は、収容容器５１における画素電極６０側の壁面から浮いてある程度分散した状態となる。このため、次に黒色の階調とする画素１１の一部では、灰色の階調となる場合がある。灰色とは黒と白の間の階調を指す。
【００４４】
一方、新たな表示画像で第２の階調である白色を表示する画素１１においては、画素電極６０と共通電極７０の電圧関係が、白色表示のための電位差状態となっているので、黒粒子５２が画素電極６０側に引き寄せられる。この結果、次に白色の階調となる画素１１は、先行して白色となる。
また、画像書込部１１０Ｄでは、新たな画像表示のために、共通電極７０に第２の電位Ｌｏを印加する。また同期をとって、第１の階調である黒色を表示する画素１１の画素電極６０に対し、第１の電位Ｈｉを印加すると共に、第２の階調である白色を表示する画素１１の画素電極６０に対し、第２の電位Ｌｏを印加する。
【００４５】
この画像書込部１１０Ｄでの駆動制御による画像書込み動作は次のようになる。すなわち、対向電極変調回路４０は共通電極７０に対し低電位である第２の電位Ｌｏ信号を供給する。また、走査線駆動回路２０は走査線１２に順次選択信号を供給する。そして、選択信号が供給され選択状態となった走査線１２に接続されたＴＦＴ８０が、オン状態になる。このとき、走査線選択に同期してデータ線駆動回路３０から供給されるデータ信号Ｘｉ（画像信号）が画素電極６０に書き込まれる。このとき、データ信号Ｘｉの電圧レベルで保持容量９０も充電され、ＴＦＴ８０の遮断後も画素１１（画素電極６０と共通電極７０）の電荷保持を図り、電気泳動粒子５２，５３による画像の維持を図る。各画素１１がデータ信号の電圧レベルに応じた表示を行うことによって画像が表示される。
【００４６】
これによって、第１の階調である黒色を表示する画素１１では、画素電極６０と共通電極７０との電位差によって、黒粒子５２は、共通電極７０側に引き寄せられて、電気泳動素子５０におけるマイクロカプセル等からなる収容容器５１の当該共通電極７０側（表面側）の壁面に沿って集まる。
また、第２の階調である白色を表示する画素１１では、表示切換前処理部１１０Ｃの処理による白色を表示する状態が保持される。
ここで、本実施形態では、共通電極７０を透明電極とし、当該共通電極７０側を表示面側とした場合で例示している。
【００４７】
次に、前記ディスプレイコントローラ１００の処理を、フローチャートである図４を参照して説明する。
ステップＳ１０にて、ディスプレイコントローラ１００は、画像の書込み要求の信号の有無を判定する。そして、画像の書込み要求の信号を入力するとステップＳ２０に移行する。
ステップＳ２０では、画像データ読込部１１０Ａが、キャッシュから、書込み要求のあった次に書き換えるための画像データを取得する。
【００４８】
次に、ステップＳ３０では、画像変換部１１０Ｂが画像データのサイズ変換を行う。さらに、ステップＳ４０では、画像変換部１１０Ｂが、画像データがカラーの場合には、白黒の階調画像データに変換する。次に、ステップＳ５０では、画像変換部１１０Ｂが、白黒の階調画像データを白黒の２階調画像データに変換する。そして、ステップＳ６０では、白黒の２階調画像データをキャッシュに保存する。
【００４９】
次に、ステップＳ７０では、表示切換前処理部１１０Ｃが、キャッシュから白黒の２階調画像データの一部（一列分の情報）を取得する。
続いて、ステップＳ８０では、表示切換前処理部１１０Ｃが、白黒の２階調画像データに基づき、取得した画像データの一部に対応する画素のうちの１つの画素の階調が、書込み要求に対応した次に書き換えられる新たな表示画像において白色か黒色かを判定する。黒色と判定した場合にはステップＳ９０に移行する。一方、白色と判定した場合には、ステップＳ１００に移行する。
【００５０】
ステップＳ９０では、表示切換前処理部１１０Ｃが、ステップＳ８０で階調を判定した画素１１の画素電極６０の電圧を、共通電圧と同電位の電圧に設定する。本実施形態では、対応する画素１１の画素電極６０の電圧として、第１の電位Ｈｉに設定する信号をデータ線駆動回路３０に出力する。ここで、共通電極７０には第１の電位Ｈｉに設定されている。
【００５１】
また、ステップＳ１００では、表示切換前処理部１１０Ｃが、対応する画素１１の画素電極６０の電圧として、第２の電位Ｌｏに設定する信号をデータ線駆動回路３０に出力する。ここで、共通電極７０には、第１の電位Ｈｉが設定されている。
表示切換前処理部１１０Ｃは、ステップＳ７０で取得した一列分の画素１１の各データ信号について、１画素ずつ、前記ステップＳ８０〜Ｓ１００の処理を繰り返す（ステップＳ１０５参照）。
【００５２】
ステップＳ１１０では、タイミングジェネレータ１２０からの信号に基づき、前記ステップＳ７０で取得した２階調画像データに対応する列の走査線１２に対し、走査線駆動回路２０から選択信号が供給されて選択状態（この走査線１２に接続されたＴＦＴ８０がオン状態）となることに同期して、表示切換前処理部１１０Ｃは、データ線駆動回路３０に対し各画素電極６０に書き込む処理指令を供給する。なお、対向電極変調回路４０には、共通電極７０に第１の電位Ｈｉを設定する信号が供給されている。
【００５３】
次に、ステップＳ１２０では、次に書き換えるための画像データに対応した各走査線１２に対し実行が終了したか否かを判定する。終了していない場合には、対象とする画素列を変更してステップＳ７０に戻る。一方、終了した場合には、表示切換前処理部１１０Ｃの処理が終了したとして、ステップＳ２００に移行する。
【００５４】
次に、ステップＳ２００では、画像書込部１１０Ｄが、キャッシュメモリから白黒の２階調画像データの一部（一列分の情報）を取得する。
続いて、ステップＳ２１０では、画像書込部１１０Ｄが、白黒の２階調画像データに基づき、取得した画像データの一部に対応する画素のうちの１つの画素の階調が、書込み要求に対応した次に書き換えられる新たな表示画像において白色か黒色かを判定する。黒色と判定した場合にはステップＳ２２０に移行する。一方、白色と判定した場合には、ステップＳ２３０に移行する。
【００５５】
ステップＳ２２０では、画像書込部１１０Ｄが、対応する画素１１の画素電極６０の電圧として、第１の電位Ｈｉに設定する信号をデータ線駆動回路３０に出力する。ここで、共通電極７０は第２の電位Ｌｏに設定されている。
また、ステップＳ２３０では、画像書込部１１０Ｄが、対応する画素１１の画素電極６０の電圧として、第２の電位Ｌｏに設定する信号をデータ線駆動回路３０に出力する。ここで、共通電極７０には、第２の電位Ｌｏが設定されている。
【００５６】
画像書込部１１０Ｄは、ステップＳ２００で取得した一列分の画素１１の各データ信号について、１画素ずつ、前記ステップＳ２１０〜Ｓ２３０の処理を繰り返す（ステップＳ２３５参照）。
ステップＳ２４０では、タイミングジェネレータ１２０からの信号に基づき、前記ステップＳ７０で取得した２階調画像データに対応する列の走査線１２に対し、走査線駆動回路２０から選択信号が供給されて選択状態（この走査線１２に接続されたＴＦＴ８０がオン状態）となることに同期して、画像書込部１１０Ｄは、データ線駆動回路３０に対し各画素電極６０に書き込む処理指令を供給する。なお、対向電極変調回路４０には、共通電極７０に第２の電位Ｌｏを設定する信号が供給される。
【００５７】
次に、ステップＳ２５０では、次に書き換えるための画像データに対応した各走査線１２に対し実行が終了したか否かを判定する。終了していない場合には、対象とする画素列を変更してステップＳ２００に戻る。一方、終了した場合には、画像書込部１１０Ｄの処理が終了したとして復帰して、待機モードとなる。
【００５８】
（動作及び作用）
図５に、上述の処理による共通電極７０及び画素電極６０に印加される電圧のタイミングチャート例を示す。
次に、図５も参照しつつ、表示画像切換時の動作について説明する。
【００５９】
図６は、表示画像の切換の際における、表示画像の変化状態を示した概念図である。
図７及び図８は、共通電極７０、及び各画素電極６０に印加する電圧の状態を示す。ここで、本実施形態の電気泳動粒子５２，５３は、負に帯電した白い電気泳動粒子５２，５３と、正に帯電した黒い電気泳動粒子５２，５３を有する場合である。
【００６０】
図６（ａ）、図７（ａ）は、電気泳動表示装置ＥＰＤの電気泳動表示部１に、現在の表示画像として、白の背景上に黒で「Ａ」の文字が表示された状態を表している。ここで、「Ａ」が表示される直前には、白表示となる部分は、リセット処理としての表示切換前処理部１１０Ｃによって白表示の状態に制御されている。
【００６１】
この「Ａ」書込み時には、図７（ａ）、図８に示すように、共通電極７０には低電位である第２の電位Ｌｏが印加される。また、黒表示の画素ｂ、ｄにおいては、画素電極６０に高電位の第１の電位Ｈｉが印加され、白表示の画素ａ、ｃにおいては、画素電極６０に低電位の第２の電位Ｌｏが印加される。これにより、黒表示の画素ｂ、ｄにおいては、正に帯電した黒い電気泳動粒子５２，５３が、表示面側である共通電極７０側に移動して、共通電極側の収容容器５１の壁面に沿って配置される結果、黒表示となる。一方、白表示の画素ａ、ｃにあっては、共通電極７０と画素電極６０とが同電位となることで、書込み前の前処理の状態が維持され白表示となる。これによって、現在の表示である「Ａ」の文字が電気泳動表示部１に表示される。この「Ａ」の文字の書込み後は、例えば共通電極７０と画素電極６０との間のインピーダンスの時定数に従って画素電極６０は共通電極７０と同電位となり、表示内容が保持される。すなわち、待機状態となる。
【００６２】
この状態から、新たな表示画像「Ｂ」の書込要求を検知すると、画像データ読込、画像変換処理、表示切換前処理、及び、新たな表示画像「Ｂ」の書込み処理が、この順番に実施される。
まず、画像データ読込部１１０Ａが、次に表示する新たな画像データを取得し、画像変換部１１０Ｂが、取得した画像データを２階調の画像データに変換する。
【００６３】
続いて、表示切換前処理部１１０Ｃが、前記２階調の画像データに基づき、新たな表示画像で黒色の階調となる画素１１においては、共通電極７０と画素電極６０とが同電位となるように制御する。
【００６４】
すなわち、図５の表示切換前処理の部分、図７（ｂ）、図８に示すように、共通電極７０に高電位である第１の電位Ｈｉを印加する。そして、新たな画像表示で黒色となる画素１１の画素電極６０に第１の電位Ｈｉを印加すると共に、次の画像表示で白色となる画素１１の画素電極６０に低電位である第２の電位Ｌｏを印加するように制御する。
【００６５】
図７（ｂ）では、画素ｂ、ｃが、次の表示で黒色となる画素である。また、画素ａ、ｄが、次の表示で白色となる画素である。
これによって、次の画素１１表示で黒色となる画素１１では、画素電極６０と共通電極７０とが同電位に設定される。この結果、電気泳動素子５０の収容容器５１の壁面に吸着していた黒粒子５２が壁面から離間して浮き上がる。つまり黒粒子５２が、画素電極６０及び共通電極７０から離れた状態となる。つまり、収容容器５１内の分散媒体中で黒粒子５２が分散した状態となる。
【００６６】
これによって、図７（ｂ）、図８に示すように、次に黒表示となる画素１１の一部は表示面側から見ると灰色となっている。ここで「灰色」とは、黒と白の間の中間の階調を指す。
また、新たな表示画像で白色となる画素１１では、共通電極７０に対し画素電極６０側が高電位となることで、黒粒子５２が表示面と反対側である画素電極６０側に移動して、表示が白色になる。
【００６７】
次に、画像書込部１１０Ｄが、図５の書込み処理のように、共通電極７０に低電位の電圧として第２の電位Ｌｏが印加されるように制御する。また、黒表示となる画素１１の画素電極６０に高電位の電圧として第１の電位Ｈｉを印加すると共に、白表示の画素１１の画素電極６０に低電圧の電圧として第２の電位Ｌｏを印加するように制御する。
これによって、図７（ｃ）、図８に示すように、黒表示となる画素１１においてのみ、正に帯電した黒粒子５２が共通電極７０側（表面側）に移動し、「Ｂ」の文字が表示される。図７（ｃ）の画素ｂ、ｃのように黒表示する画素１１においては、表示切換前処理部１１０Ｃで、図７（ｂ）の画素ｂ、ｃのように、黒粒子５２が収容容器５１の壁面から浮いて分散しているため、黒粒子５２の共通電極７０側への移動がスムーズに行われる。すなわち、次の表示画像の書込みの応答が速くなる。これによって、良好な黒表示が得られる。
【００６８】
ここで、比較例として、表示切換前処理部１１０Ｃで全画素１１を白表示とした後に、黒表示のための書込み処理をした場合に、黒色表示の画素１１が灰色表示となる場合がある一つの理由について、図９を参照しつつ説明する。
まず、図９（ａ）は、表示切換前処理部１１０Ｃで白表示とした状態であって、黒粒子５２は、収容容器５１の底面である画素電極６０側に引き付いた状態となっている。この状態から、共通電極７０に低電位の第２の電位Ｌｏを印加し、画素電極６０に高電位の第１の電位Ｈｉを印加すると、図９（ｂ）（ｃ）に示すように、白粒子５３の画素電極６０側への移動による白粒子５３の凝集状態によって、黒粒子５２の一部の移動が阻害される。この結果、図９（ｄ）に示すように、黒粒子５２の一部が、表示面側の共通電極７０側に到達できずに、白粒子５３に閉じこめられて画素電極６０側に張り付いたままとなる場合があるためである。
【００６９】
この点、本実施形態では、リセット処理である表示切換前処理部１１０Ｃで、次に黒表示となる画素１１については、電圧を印加するときに収容容器５１の壁面から黒粒子５２が離間して浮いた状態となることで、黒粒子５２の一部が、白粒子５３に閉じ込められて画素電極６０側（底側）に張り付いた状態となることを低減できる。この結果、白黒表示のコントラストを良好なものとすることができる。
【００７０】
ここで、白色は、白粒子５３による光の散乱で白く見えるので、白粒子５３は収容容器５１全体に広がるように分散していることが望ましい。逆に、黒色は、可視光を吸収するので、黒色表示の場合には、黒粒子が表示面側の壁面を覆うように位置することが好ましい。
【００７１】
「電子機器」
前記構成の電気泳動表示装置ＥＰＤは、電気泳動表示部１を備えた種々の電子機器に適用することが可能である。
その一例を次に説明する。
【００７２】
図９は、本発明の電気泳動表示装置ＥＰＤを適用した電子機器の具体例を説明する斜視図である。図９（ａ）は、電子機器の一例である電子ブック１０００を示す斜視図である。この電子ブック１０００は、ブック形状のフレーム１００１と、このフレーム１００１に対して回動自在に設けられた（開閉可能な）カバー１００２と、操作部１００３と、本実施形態の電気泳動表示装置ＥＰＤによって構成された電気泳動表示部１００４と、を備えている。
【００７３】
図９（ｂ）は、電子機器の一例である腕時計１１００を示す斜視図である。この腕時計１１００は、本実施形態の電気泳動表示装置ＥＰＤによって構成された電気泳動表示部１１０１を備えている。
図９（ｃ）は、電子機器の一例である電子ペーパー１２００を示す斜視図である。この電子ペーパー１２００は、紙と同様の質感および柔軟性を有するリライタブルシートで構成される本体部１２０１と、本実施形態の電気泳動表示装置ＥＰＤによって構成された電気泳動表示部１２０２を備えている。
【００７４】
上述のような電子ブックや電子ペーパーなどは、白地の背景上に文字を繰返し書込む用途が想定されるため、消去時残像や経時的残像の解消が必要とされる。
なお、本発明の電気泳動表示装置ＥＰＤが適用可能な電子機器の範囲はこれに限定されず、帯電粒子の移動に伴う視覚上の色調の変化を利用した装置を広く含むものである。本発明の電気泳動表示装置ＥＰＤは、また、デジタルサイネージ（広告）などに対しても適用可能である。
【００７５】
（本実施形態の効果）
（１）表示切換前処理部１１０Ｃは、電気泳動表示部１に表示する新たな表示画像の書込み要求を検出すると、前記新たな表示画像に対応した電圧に各画素１１の画素電極６０及び共通電極７０の電圧を制御する前に、少なくとも一部の画素１１の画素電極６０と共通電極７０とを同電位に制御する。
【００７６】
すなわち、表示切換前処理部１１０Ｃは、新たな表示画像を表示する前に、少なくとも一部の画素１１において画素電極６０及び共通電極７０を同電位とする制御を行う。これによって、現在の表示画像で黒粒子５２が表示面側とは反対側の底面側に集まった状態となっていても、同電位に設定した画素１１においては、前記底面側に集まっていた黒粒子５２が収容容器５１の壁面から浮いて離れた状態となる。これによって、黒粒子５２がある程度分散した状態となる。このため、新たな表示画像に対応した電圧に前記画素１１の画素電極６０及び共通電極７０の電圧を設定した際における、黒の階調を表示する画素１１における電気泳動粒子５２，５３が表示画面側に到達するまでの移動速度を速くすることが出来る。これによって、新たな表示画像の書込み処理を実施した際に良好な表示を得ることができて、コントラスト向上に繋がる。
【００７７】
このとき、表示切換前処理部１１０Ｃの処理として、予め設定したリセット期間、つまり表示切替前処理の期間だけ同電位に設定するだけであるので、消費電力の増加が抑えられる。さらに、同電位にして電気泳動粒子５２，５３を分散した状態にするだけであるので、現在の表示画像から新たな表示画像へ遷移する際に、中間色としての灰色の表示は出ることがあっても、画面の点滅を発生しがたい。このことは、表示画像の切り換え時に良好な表示画像を得ることが出来て、使用者の眼への負担を抑えることに繋がる。
【００７８】
（２）前記表示切換前処理部１１０Ｃは、前記新たな表示画像で第１の階調となる画素１１の画素電極６０と共通電極７０とを同電位に制御する。
これにより、現在の表示画像で、第１の階調に対応する黒粒子５２が電気泳動素子５０の表示面側とは反対側である収容容器の底面側に集まった状態になっていても、その第１の階調に対応する黒粒子５２が電気泳動素子５０の底面から浮いて分散した状態となる。このため、新たな表示画像を表示するために前記画素１１の画素電極６０及び共通電極７０の電圧を印加した際における、前記黒粒子５２が表示画面側に到達するまでの移動速度が速くなる。この結果、目的とする第１の階調をより確実に表示することが可能となる。
【００７９】
（３）前記表示切換前処理部１１０Ｃは、前記新たな表示画像で第１の階調となる第１画素１１の第１画素電極６０と共通電極７０とを同電位に制御すると共に、前記新たな表示画像で第１の階調以外の階調である第２の階調となる第２画素１１の第２画素電極６０と共通電極７０とを、前記新たな表示画像で表示する階調に対応した電圧に制御する。
これによって、新たな表示画像の書込み処理を実行する前に、新たな表示画像で第１の階調となる黒色となる第１画素１１の黒粒子５２を分散した状態にする。同時に、第１の階調以外の第２の階調である白色となる第２画素１１の電気泳動粒子５２，５３を、予め新たな表示画像で表示する階調である白色となるように調整する。この結果、新たな表示画像に書込み処理をした際に、新たな表示画像で第１の階調（黒色）となる画素１１をより確実に第１の階調とすると共に、他の階調（白色）となる画素１１もより確実にその目的とする階調（白色）とすることが出来る。これによって、新たな表示画像のコントラストが向上する。
【００８０】
（４）前記表示切換前処理部１１０Ｃは、画素電極６０の電圧と共通電極７０の電圧をともに、予め設定した第１の電位Ｈｉ及び第２の電位Ｌｏのいずれかの電圧値とすることで同電位に制御する。
すなわち、階調表示に使用するために予め設定した２種類の電圧値のいずれかの電圧とすることで同電位する。この結果、２値制御となるので、表示切換前処理部１１０Ｃを含めた駆動制御が簡易となる。
【００８１】
（５）電気泳動表示装置ＥＰＤは、前記電気泳動表示部１、及び前記電気泳動表示部１用の駆動制御装置を備える。
これによって、表示が良好な階調表示となる電気泳動表示装置ＥＰＤを提供することが可能となる。
【００８２】
（６）電子機器は、上述の電気泳動表示装置ＥＰＤを備える。
これによって、表示が良好な階調表示となる電子機器を提供することが可能となる。
【００８３】
（変形例）
（１）前記実施形態では第１の階調が黒色の場合で例示した。第１の階調が白色であっても良い。また、第１の階調が、赤色、青色、黄色等であっても良い。また一つの電気泳動素子内に３種類以上の電気泳動粒子が収容されていても良い。
【００８４】
（２）前記実施形態では、第１の階調を表示するための黒粒子５２が正帯電、第２の階調を表示するための白粒子５３が負帯電の場合で説明した。
黒粒子５２が負帯電、白粒子５３が正帯電の場合には、次のように処理すれば良い。
すなわち、表示切換前処理部１１０Ｃにおいて、共通電極７０に低電位である第２の電位Ｌｏを印加する。そして、次に黒表示する画素１１の画素電極６０に第２の電位Ｌｏを印加すると共に、次に白表示にする画素１１の画素電極６０に高電位である第１の電位Ｈｉを印加する。
また、書込み処理において、共通電極７０に高電位である第１の電位Ｈｉを印加する。そして、次に黒表示する画素１１の画素電極６０に第２の電位Ｌｏを印加すると共に、次に白表示にする画素１１の画素電極６０に高電位である第１の電位Ｈｉを印加する。
【００８５】
（３）また、表示切換前処理部１１０Ｃと書込み処理時における、各画素１１の画素電極６０の電圧値は同じである。これに鑑み、書込み処理時には、共通電極７０の電圧のみを変化させるだけでも良い。
（４）前記実施形態において、表示切換前処理部１１０Ｃ時に、新たな表示画像で黒表示となる画素１１の画素電極６０を共通電極７０と同電位にする場合を例示した。必ずしも同電位でなくても良い。表示切換前処理部１１０Ｃ時に、前記第１の電位Ｈｉと第２の電位Ｌｏとの間の電位差よりも小さい電位差となるように、共通電極７０及び画素電極６０の電圧を制御しても良い。
すなわち、表示切換前処理の期間に印加する電圧は、前記同電位とする代わりに、収容容器５１の壁面にある粒子を当該壁面から浮かすことが出来るだけの書き込み処理の期間に印加するより小さな電位差に設定しても良い。例えば１〜２ボルト程度の電位差に設定する。
これによっても、前記説明してきた実施形態と同様な効果が得られる。すなわち、新たな表示画像の書込み処理を実施した際に良好な表示を得ることができて、コントラスト向上に繋がる。
【００８６】
（５）また、前記実施形態では、共通電極７０側が表示面の場合で説明した。画素電極６０側が表示面であっても良い。
【００８７】
「第２実施形態」
次に、第２実施形態について図面を参照して説明する。なお、前記第１実施形態と同様な構成については同一の符号を付して説明する。
前記第１実施形態では、第１の電位Ｈｉ及び第２の電位Ｌｏの２値で駆動電圧を制御した。これに対し、本実施形態では、画像書込部１１０Ｄが書込要求に対応した次に書き換える新たな画像の書込処理を実施する際には、画素電極６０に対しては、第１の電位Ｈｉ及び第２の電位Ｌｏのいずれかを印加するように制御すると共に、共通電圧には、中間電位Ｍを印加する場合の例である。中間電位Ｍは、第１の電位Ｈｉと第２の電位Ｌｏとの間のいずれかの電位に設定する。本実施形態では、中間電位Ｍとして、第１の電位Ｈｉと第２の電位Ｌｏの平均値Ｍ（＝（Ｈｉ＋Ｌｏ）／２）とする場合で例示する。もちろん、中間電位Ｍとして、第１の電位Ｈｉと第２の電位Ｌｏの平均値である必要はない。
なお、本実施形態の基本構成は、前記第１実施形態と同様である。
【００８８】
ここで、本実施形態のように、画素電極６０に対し、第１の電位Ｈｉ及び第２の電位Ｌｏのいずれかを印加するように制御すると共に、共通電圧に中間電位Ｍを印加する場合には、図１２に示すように、画素電極６０を第１の電位Ｈｉ及び第２の電位Ｌｏのいずれかとすることで、白表示から黒表示へ遷移する画素と黒表示から白表示へ遷移する画素の階調の変更を同時に行うことができる。
【００８９】
これに対し、本実施形態では、図１３のように、現在の表示画像（表示１）から書込要求に対応した新たな表示画像（表示２）の書込み処理を行う際に、第１実施形態と同様に、新たな表示画像（表示２）を書き込む前に表示切換前処理を実施するものである。
そして、表示切換前処理部１１０Ｃにおいて、新たな表示画像で黒表示となる画素１１の画素電極６０に対し中間電極Ｍを印加することで、表示画像の書き込む前に共通電極７０と画素電極６０を同電位に制御するものである。なお、新たな表示画像で白表示となる画素１１の画素電極６０に対しては、低電位である第２の電位Ｌｏを印加することで、黒粒子５２を底面側である画素電極６０側に引き寄せる。
【００９０】
また、新たな表示画像の書込み処理時には、黒表示の画素１１の画素電極６０には第１の電位Ｈｉを印加すると共に、白表示の画素１１の画素電極６０には第２の電位Ｌｏを印加する制御を行う。なお、共通電極７０には、中間電位Ｍを印加する制御を行う。
その他は、前記第１実施形態と同様である。
【００９１】
（動作）
図１１に、本実施形態における共通電極と画素電極のタイミングチャート例を示す。この図１１も参照しつつ動作について説明する。
図１２の画素ｃに示すように、現在の表示が白表示の画素１１に対して、図１２（ａ）→（ｂ）のように、直接黒表示に遷移させようとすると、白粒子と黒粒子がぶつかり合って、黒粒子５２が画素電極６０側に残る場合がある。このことは、新たな表示画像に切り換えた際に、コントラストに悪影響が出るおそれがある。
これに対し、本実施形態では、図１３（ｂ）に示すように、次に黒表示となる画素１１に対し、表示切換前処理部１１０Ｃが画素電極６０と共通電極７０とを同電位となるように制御する（図１１の表示切換前処理の部分）。このため、電気泳動素子５０内の電気泳動粒子５２，５３がばらつき、黒粒子５２と白粒子５３とが分離しやすい状態となる。
【００９２】
この状態で、画像書込部１１０Ｄが新たな表示画像を書き込む処理を実施する（図１１の書込み処理の部分）。これによって、図１３（ｃ）に示すように、黒粒子５２が画素電極６０側に残ることを低減できる。すなわち、良好な黒表示を得ることができてコントラストが向上する。
ここで、前記説明では、表示切換前処理部１１０Ｃが、新たな表示画像で黒色となる画素１１の全てに対して、画素電極６０と共通電極７０とを同電位とする場合を例示した。
【００９３】
これに対し、現在の表示が黒色表示であり、次の表示も黒色表示の画素１１については、表示切換前処理部１１０Ｃ時に同電位とする必要はない。もっとも、現在の表示が黒色表示であり、次の表示も黒色表示の画素１１について、表示切換前処理部１１０Ｃ時に画素電極６０を第１の電位Ｈｉとすると、より黒濃度の階調となる。このため、現在の表示が白色表示であり、次の表示が黒色表示の画素１１における黒表示との階調差が出ないよう気を付ける必要がある。
【００９４】
（本実施形態の効果）
（１）前記各画素１１の画素電極６０の電圧を、予め設定した２種類の電圧値のいずれかに設定すると共に、前記共通電極７０の電圧を前記２種類の電圧値の間の電圧値である中間電圧に設定することで、表示すべき画像に応じた階調に各画素１１の表示を制御する電気泳動表示部１用の駆動制御装置を前提とする。そして、前記表示切換前処理部１１０Ｃは、画素電極６０と共通電極７０の電圧をともに前記中間電圧とすることで同電位に制御する。
これによって、新たな表示画像の書込み処理の際に、表示切換前処理部１１０Ｃで同電位とした画素１１の階調表示が向上する。
その他の効果は、前記第１実施形態と同様である。
【００９５】
（変形例その他）
（１）前記全実施形態において、表示切換前処理部１１０Ｃでの処理時に、新たな表示画像で黒表示となる画素１１だけを同電位にする場合を例示した。表示切換前処理部１１０Ｃ時に、新たな表示画像で白表示となる画素１１についても同電位としても良い。ただし、第１実施形態の場合には、白表示が続く場合に、白が灰色に近くなってくるので、適宜、白表示とする電位差が共通電極７０と画素電極６０との間に発生するようにすることが好ましい。
【符号の説明】
【００９６】
１  電気泳動表示部、１０  電気泳動表示パネル、１１  画素、１２  走査線、１３ データ線、１４  共通電極配線、１５  保持容量線、２０  走査線駆動回路、３０  データ線駆動回路、４０  対向電極変調回路、５０    電気泳動素子、５１  収容容器、５２，５３     電気泳動粒子、５２   黒粒子（第１の階調に対応する電気泳動粒子）、５３  白粒子、５４    分散媒体、６０       画素電極、７０  共通電極、１００  ディスプレイコントローラ（駆動制御装置）、１１０  画像信号処理部、１１０Ａ  画像データ読込部、１１０Ｂ  画像変換部、１１０Ｃ  表示切換前処理部、１１０Ｄ  画像書込部、１２０  タイミングジェネレータ、ＥＰＤ  電気泳動表示装置、Ｈｉ  第１の電位、Ｌｏ  第２の電位、Ｍ  中間電位
【図１】
2011164123.tif 000003
【図２】
2011164123.tif 000004
【図３】
2011164123.tif 000005
【図４】
2011164123.tif 000006
【図５】
2011164123.tif 000007
【図６】
2011164123.tif 000008
【図７】
2011164123.tif 000009
【図８】
2011164123.tif 000010
【図９】
2011164123.tif 000011
【図１０】
2011164123.tif 000012
【図１１】
2011164123.tif 000013
【図１２】
2011164123.tif 000014
【図１３】
2011164123.tif 000015